(57)【要約】      （修正有）【課題】電子機器に関し、安全性を向上させる。【解決手段】器体７の表面側で、開閉体９、１０を構成する本体ケース１２、１４の表示体８側に受光センサー１７を設け、この受光センサー１７は、制御体１１に接続したものであるので、表示体８が閉じられる状態においては、この表示体８が発する光を受光センサー１７が受光した状態となっている。このため、表示体８と開閉体９、１０間に例えば、指が挟まれる状態においては、この指部分に対応する受光センサー１７が異物を検出し、表示体８の閉成動作を中断させることができ、これにより指が挟まれるという状態は回避される。【選択図】図２
2013147201.tif 000002
【特許請求の範囲】
【請求項１】
器体と、この器体の表面側において、この器体に対して開閉自在に設けた表示体と、この表示体の両側の少なくとも一方に対応する前記器体表面側に設けられた開閉体と、この開閉体に接続した制御体とを備え、
前記開閉体は、前記表示体が器体に対して閉成された状態における前記表示体の一側に設けた長形の本体ケースと、この本体ケース内に設けられるとともに、前記表示体の回転軸を支持する支持部と、前記本体ケース内に設けられるとともに、前記支持部に支持された表示体を回動させるモーターとを有し、
前記器体の表面側で、前記開閉体を構成する本体ケースの表示体側に受光センサーを設け、この受光センサーは、前記制御体に接続した電子機器。
【請求項２】
制御体は、開閉角度を検出する角度センサーを有する請求項１に記載の電子機器。
【請求項３】
制御体は、角度センサーによって検出した、開閉体による表示体の閉成方向の角度が所定角度に到達すると、受光センサーによる異物検出動作を開始させる構成とした請求項２に記載の電子機器。
【請求項４】
所定角度は、４５度近傍に設定した請求項３に記載の電子機器。
【請求項５】
表示体は、枠体と、この枠体内に設けたディスプレイとを有し、この枠体部分に対応する器体の表面側部分に受光センサーを設けた請求項１から４のいずれか一つに記載の電子機器。
【発明の詳細な説明】
【技術分野】
【０００１】
本発明は、たとえば、自動車の車内天井部分に装着される電子機器に関するものである。
【背景技術】
【０００２】
従来のこの種電子機器の構成は、以下のようになっていた。
【０００３】
すなわち、車内天井部分に取り付けられる器体と、この器体の表面側において、この器体に対して開閉自在に設けた表示体と、この表示体の両側の少なくとも一方に対応する前記器体表面側に設けられた開閉体と、この開閉体に接続した制御体とを備え、前記開閉体は、前記表示体が器体に対して閉成された状態における前記表示体の一側に設けた長形の本体ケースと、この本体ケース内に設けられるとともに、前記表示体の回転軸を支持する支持部と、前記本体ケース内に設けられるとともに、前記支持部に支持された表示体を回動させるモーターとを有する構成となっていた。
そして、車内において映像の視聴を行うときには、器体から表示体を開放し、また、不使用時には表示体を器体側に閉成するようにしていた。
このように車内天井部分に表示体が開放（突出）しているときには、同乗者がこれに例えば頭などをぶつける惧れがあるので、シードベルトを装着しなければ表示体を開放できないようにするものもある（例えば下記特許文献１）。
【先行技術文献】
【特許文献】
【０００４】
【特許文献１】特開２０１０−２８５１２６号公報
【発明の概要】
【発明が解決しようとする課題】
【０００５】
上記従来例においては、シードベルトを装着しなければ表示体を開放できないようにしているので、表示体の表示内容を視聴している状況では、同乗者にシートベルトが装着されている。つまり、同乗者は、シートベルトに守られて表示体に頭などをぶつけることから保護されるものとなっている。
【０００６】
しかしながら、視聴後に表示体を閉じるときには、シートベルトの装着は、監視されていない状態となっており、このときには、表示体に手を触れることができ、このように成ると表示体と、器体表面側に設けられた開閉体との間に、例えば手を挟まれることが危惧される。つまり、日常生活において我々が良く遭遇する窓を閉める際に、この窓と窓枠間に手を挟んでしまう状態が、この車内においても発生してしまう惧れがあるのである。
【０００７】
そこで本発明は、安全性を高めることを目的とする。
【課題を解決するための手段】
【０００８】
そして、この目的を達成するために本発明は、器体と、この器体の表面側において、この器体に対して開閉自在に設けた表示体と、この表示体の両側の少なくとも一方に対応する前記器体表面側に設けられた開閉体と、この開閉体に接続した制御体とを備え、前記開閉体は、前記表示体が器体に対して閉成された状態における前記表示体の一側に設けた長形の本体ケースと、この本体ケース内に設けられるとともに、前記表示体の回転軸を支持する支持部と、前記本体ケース内に設けられるとともに、前記支持部に支持された表示体を回動させるモーターとを有し、前記器体の表面側で、前記開閉体を構成する本体ケース
の表示体側に受光センサーを設け、この受光センサーは、前記制御体に接続した構成とし、これにより所期の目的を達成するものである。
【発明の効果】
【０００９】
以上のように、本発明は、器体と、この器体の表面側において、この器体に対して開閉自在に設けた表示体と、この表示体の両側の少なくとも一方に対応する前記器体表面側に設けられた開閉体と、この開閉体に接続した制御体とを備え、前記開閉体は、前記表示体が器体に対して閉成された状態における前記表示体の一側に設けた長形の本体ケースと、この本体ケース内に設けられるとともに、前記表示体の回転軸を支持する支持部と、前記本体ケース内に設けられるとともに、前記支持部に支持された表示体を回動させるモーターとを有し、前記器体の表面側で、前記開閉体を構成する本体ケースの表示体側に受光センサーを設け、この受光センサーは、前記制御体に接続したものであるので、安全性を向上することができる。
【００１０】
すなわち、本発明においては、前記器体の表面側で、前記開閉体を構成する本体ケースの表示体側に受光センサーを設け、この受光センサーは、前記制御体に接続したものであるので、表示体が閉じられる状態においては、この表示体が発する光を受光センサーが受光した状態となっている。このため、表示体と開閉体間に例えば、指が挟まれる状態においては、この指部分に対応する受光センサーが異物を検出し、その結果として表示体の閉成動作を中断させることができ、これにより指が挟まれるという状態は回避され、安全性を向上することができるのである。
【図面の簡単な説明】
【００１１】
【図１】本発明の一実施形態における電子機器を搭載した自動車を示す側面図
【図２】同電子機器の斜視図
【図３】同電子機器の斜視図
【図４】同電子機器の制御ブロック図
【図５】同電子機器の動作フローチャート
【図６】同電子機器の動作状態を示す図
【図７】同電子機器の要部を示す断面図
【図８】同電子機器の要部を示す平面図
【発明を実施するための形態】
【００１２】
以下、本発明の実施の形態を、自動車の車内天井部分に装着される電子機器を例に取り、添付図面を用いて説明する。
【００１３】
（実施の形態１）
図１において、１は自動車を示し、その車内２前方部分から後方部分に向けて、ハンドル３、前席４、後席５が配置されている。
【００１４】
また、車内２の天井部分で、前席４、後席５の間部分には、電子機器６が配置されている。
【００１５】
電子機器６は、図２〜図４に示すように、車内２の天井部分に取り付けるための平板状の器体７と、この器体７の表面側（下面側）において、この器体７に対して開閉自在に設けた表示体８と、この表示体８の両側部分に対応する前記器体７表面側に設けられた開閉体９、１０と、この開閉体９、１０に接続した制御体１１とを備えている。
【００１６】
具体的には、前記開閉体９は、前記表示体８が器体７に対して閉成された状態における前記表示体８の一側に設けた長形の本体ケース１２と、この本体ケース１２内に設けられ
るとともに、前記表示体８の回転軸８ａを支持する支持部（図示せず）と、前記本体ケース１２内に設けられるとともに、前記支持部に支持された表示体８を回動させるモーター１３とを有している。
【００１７】
また、前記開閉体１０は、前記表示体８が器体７に対して閉成された状態における前記表示体８の他側に設けた長形の本体ケース１４と、この本体ケース１４内に設けられるとともに、前記表示体８の回転軸８ｂを支持する支持部（図示せず）等を有している。
【００１８】
さらに、表示体８は、枠体１５と、この枠体１５内に設けたディスプレイ１６とを有しているが、枠体１５はその回転軸８ａ、８ｂ側部分（図２の下側部分）のほうが、その反対側（図２の上側部分）よりも厚さが、厚くなっている。
【００１９】
したがって、それに合せて、開閉体９も、回転軸８ａ、８ｂ側部分（図２の下側部分）のほうが厚さを、その反対側（図２の上側部分）よりも厚さを、厚くしている。また、開閉体１０は、回転軸８ａ、８ｂ側部分（図２の下側部分）の厚さと、その反対側（図２の上側部分）の厚さを、略同じ厚さにしている。
【００２０】
つまり、表示体８が器体７に対して完全に閉じられた状態では、器体７の表面側（下側）において、開閉体９、１０と、表示体８のディスプレイ１６反対側面とが、略平面的に成るようにしているのである。
【００２１】
本実施形態において特徴的なのは、表示体８の枠体１５部分に対応する器体７の表面側部分に、図２のごとく複数の受光センサー１７をコの字状（枠体１５の回転軸８ａ、８ｂ側の辺を除いた四角形状態）に設けるとともに、この受光センサー１７を、前記制御体１１に接続したことである。
【００２２】
また、制御体１１は、図４に示すように、表示体８の開閉角度を検出する角度センサー１８とを有する。
【００２３】
なお、この制御体１１には、現在では一般的に行われている、表示体８の動作をリモコン（図示せず）で行う場合の操作受付部１９も接続されている。
【００２４】
以上の構成において、後席５に座る同乗者が表示体８の映像を視聴するときには、上述したリモコン（図示せず）によってその指示を行うと、操作受付部１９がそれを受信し、その結果として制御体１１はモーター１３を正回転させ、表示体８を図１のごとく器体７から開き、そのディスプレイ１６を後席５に向ける。
【００２５】
このとき、表示体８の開閉角度は角度センサー１８によって検出されており、９０度から１２０度の間で停止させ、その状態で、後席５に座る同乗者は表示体８の映像を視聴する。
【００２６】
そして、その視聴が終了し、リモコン（図示せず）によって表示体８を閉じる指示を行うと、操作受付部１９がそれを受信し、その結果として制御体１１はモーター１３を逆回転させ、表示体８を図１の状態から図６の状態をＡ、Ｂ、Ｃを経て、Ｄのごとく器体７に対して閉じられることになる。
【００２７】
この様に表示体８が閉じられる状況においても、ディスプレイ１６は無映像の表示だけは継続させており、そのディスプレイ１６からの光は、上述した複数の受光センサー１７によって受光されるようになっている。
【００２８】
具体的には、上述したように複数の受光センサー１７は、表示体８の枠体１５部分に対応する器体７の表面側部分に、図２のごとくコの字状（枠体１５の回転軸８ａ、８ｂ側の辺を除いた四角形状態）に設けるとともに、この受光センサー１７を、前記制御体１１に接続している。
【００２９】
また、各受光センサー１７を器体７に設置するための光導路２０は、図６〜図８に示すように、閉じられてくる表示体８側に向けて傾斜した状態となっている。
【００３０】
このため、各受光センサー１７は、閉じられてくる表示体８のディスプレイ１６からの光を受光することが出来るようになっている。
【００３１】
このとき、受光センサー１７の光導路２０は、上述のごとく、閉じられてくる表示体８側に向けて傾斜した状態としているので、表示体８が器体７に対して閉じられれば、閉じられるほど、受光センサー１７による表示体８のディスプレイ１６からの受光量は、大きくなる。
【００３２】
本実施形態では、制御体１１が、表示体８が閉じられた角度を、角度センサー１８によって検出しており（図５のＳ２）、その角度が４５度以下になると（図５のＳ３）、受光センサー１７による指はさみ検出（異物挟み検出の一例）を開始する（図５のＳ４）。
【００３３】
つまり、このように表示体８が器体７に対して閉じられている状況において、表示体８と器体７の間の角度が４５度（図６のＢ）以下になると、指を、表示体８と、例えば開閉体９、１０との間に挟む力が、指を前方に押し出そうとする力よりも大きくなるので、この地点から、指はさみ検出（異物挟み検出の一例）を開始するのである。
【００３４】
また、表示体８のディスプレイ１６からの光は受光センサー１７に確実に届く状態となっているので、そこに指が存在すると、指に対向する部分の受光センサー１７は光を受光することが出来ないので、確実に指を挟む虞があることを検出することが出来る（図５のＳ５）。
【００３５】
その結果、制御体１１は、モーター１３を停止し（図５のＳ６）、これにより、指は挟みを未然に防止することが出来る。
【００３６】
また、このような指挟み状態が発生していないときには、モーター１３によって表示体８を器体７に対して完全に閉じることになり、このときの閉じた角度も角度センサー１８によって検出しており（図５のＳ７）、これによりモーター１３を停止する。
【００３７】
なお、本実施形態において、受光センサー１７、および、その光導路２０を、上述のごとく、閉じられてくる表示体８側に向けて傾斜させた理由は、上述のごとく、表示体８が器体７に対して閉じられれば、閉じられるほど、受光センサー１７によるディスプレイ１６からの受光量が大きくなり、それによって異物検出精度が高まると言う点と、外来光が受光センサー１７に侵入する結果として、その検出精度が低下するのを防止すると言う点からである。
【００３８】
つまり、受光センサー１７、および、その光導路２０を、上述のごとく、閉じられてくる表示体８側に向けて傾斜させれば、その方向からの光を優先的に受光するようになるのであるが、そこには表示体８のディスプレイ１６が存在するので、このディスプレイ１６からの光以外は受光することが少なくなり、その結果として受光センサー１７による異物検出精度が低下するのを防止することができるのである。
【産業上の利用可能性】
【００３９】
以上のように、本発明においては、器体の表面側で、前記開閉体を構成する本体ケースの表示体側に受光センサーを設け、この受光センサーは、前記制御体に接続したものであるので、表示体が閉じられる状態においては、この表示体が発する光を受光センサーが受光した状態となっている。
【００４０】
このため、表示体と開閉体間に例えば、指が挟まれる状態においては、この指部分に対応する受光センサーが異物を検出し、その結果として表示体の閉成動作を中断させることができ、これにより指が挟まれるという状態は回避され、安全性を向上することができるのである。
【００４１】
したがって、車載用電子機器などとしての活用が期待されるものとなる。
【符号の説明】
【００４２】
１    自動車
２    車内
３    ハンドル
４    前席
５    後席
６    電子機器
７    器体
８    表示体
８ａ    回転軸
８ｂ    回転軸
９    開閉体
１０    開閉体
１１    制御体
１２    本体ケース
１３    モーター
１４    本体ケース
１５    枠体
１６    ディスプレイ
１７    受光センサー
１８    角度センサー
１９    操作受付部
２０    光導路
【図１】
2013147201.tif 000003
【図２】
2013147201.tif 000004
【図３】
2013147201.tif 000005
【図４】
2013147201.tif 000006
【図５】
2013147201.tif 000007
【図６】
2013147201.tif 000008
【図７】
2013147201.tif 000009
【図８】
2013147201.tif 000010